(57)【要約】本発明は、高分子量バイオポリマーを検出するための方法に関し、この方法の間に、高分子量バイオポリマーを固定するための少なくとも１つのユニットを有する、電極アセンブリが使用される。この少なくとも１つのユニットは、スカベンジャー分子を備える。媒体が、固定のために提供される少なくとも１つのユニットと接触され、これによって、分析されるべき媒体が、検出されるべきバイオポリマーを含み得る。分析されるべきサンプルに含まれるバイオポリマーは、スカベンジャー分子に結合し、これによって、バイオポリマーとスカベンジャー分子とから、複合体が形成される。第１の電気測定が実施され、この複合体が分離され、そして第２の電気測定が実施される。このバイオポリマーは、この複合体の分離によって引き起こされる電気測定の値の変化に基づいて、検出される。
2005533482.tif 000002
【特許請求の範囲】
【請求項１】
高分子量バイオポリマーを固定するための少なくとも１つのユニットを使用して、高分子量バイオポリマーを検出するための方法であって、ここで、該高分子量バイオポリマーを固定するための少なくとも１つのユニットは、捕捉分子として働く第１の分子を備え、
・サンプルが、該高分子量バイオポリマーを固定するための少なくとも１つのユニットと接触され、該サンプルは、該高分子量バイオポリマーを含有することが可能であり、そして該高分子量バイオポリマーまたは該第１の分子は、検出可能な信号を発生させるために使用され得るマーキングを有し、
・該サンプルに含有される高分子量バイオポリマーが、該捕捉分子に結合し、これによって、捕捉分子および高分子量バイオポリマーを含む複合体を形成し、
・該信号の発生が、該マーキングによって励起され、
・該マーキングによって発生される信号が検出され、
・捕捉分子および高分子量バイオポリマーを含む該複合体が、分離され、これによって、該発生される信号の強度を変化させ、
・該高分子量バイオポリマーが、該信号の強度によって検出される、
方法。
【請求項２】
高分子量バイオポリマーを固定するための少なくとも１つのユニットを有する電極配置を使用して、高分子量バイオポリマーを検出するための方法であって、ここで、該高分子量バイオポリマーを固定するための少なくとも１つのユニットは、捕捉分子として働く第１の分子を備え、
・サンプルが、該少なくとも１つの固定ユニットと接触され、該サンプルは、該高分子量バイオポリマーを含有することが可能であり、
・該サンプル中に含まれる高分子量バイオポリマーが、該捕捉分子に結合され、これによって、捕捉分子と高分子量バイオポリマーとを含む複合体を形成し、
・第１の電気測定が実施され、
・捕捉分子と高分子量バイオポリマーとを含む該複合体が分離され、これによって、該電気測定の値を変化させ、
・該分離の後に、第２の電気測定が実施され、そして
・該高分子量バイオポリマーが、該電気測定の値によって検出される、
方法。
【請求項３】
前記固定ユニットと前記媒体との間の界面における電極電位、キャパシタンス、電気抵抗、電流または電位が、前記電気測定の間に測定される、請求項２に記載の方法。
【請求項４】
核酸、タンパク質、または核酸とタンパク質とを含む複合体が、高分子量バイオポリマーとして検出される、請求項１または２に記載の方法。
【請求項５】
核酸分子が、高分子量バイオポリマーとして、および捕捉分子として使用され、その結果、二本鎖ハイブリッド分子が、複合体として形成される、請求項４に記載の方法。
【請求項６】
前記捕捉分子として働く第１の核酸分子が、一本鎖分子である、請求項５に記載の方法。
【請求項７】
前記捕捉分子と検出される核酸分子とを含むハイブリッド分子の分離が、前記二本鎖ハイブリッド分子の融点より高い温度に、温度を上昇させることによってなされる、請求項６に記載の方法。
【請求項８】
前記温度が、前記少なくとも１つの固定ユニットを有するバイオセンサに一体化されたサーモスタットにより調節されるユニットによって制御される、請求項７に記載の方法。
【請求項９】
前記少なくとも１つの固定ユニットが、少なくとも１つの作用電極に隣接して配置される、請求項１〜８のいずれか１項に記載の方法。
【請求項１０】
前記固定ユニットが、前記作用電極の上方に配置される、請求項９に記載の方法。
【請求項１１】
前記少なくとも１つの固定ユニットが、作用電極またはフォトダイオードに直接適用される、請求項１〜１０にずれか１項に記載の方法。
【請求項１２】
前記少なくとも１つの固定ユニットが、作用電極として構成される、請求項１〜１１のいずれか１項に記載の方法。
【請求項１３】
前記ハイブリッド分子を分離する目的で、負の電位が、作用電極に付与される、請求項９〜１２のいずれか１項に記載の方法。
【請求項１４】
前記捕捉分子と検出されるべき核酸分子とを含む、二本鎖ハイブリッド分子を形成する目的で、正の電位が、作用電極に付与される、請求項９〜１３のいずれか１項に記載の方法。
【請求項１５】
高分子量バイオポリマーを固定するための複数のユニットが、規則的な配置で配置されている、請求項１〜１４のいずれか１項に記載の方法。
【請求項１６】
前記マーキングが、蛍光色素、化学発光マーキング、酵素および酵素リガンドを含む群から選択される、請求項１または４〜１５のいずれか１項に記載の方法。
【請求項１７】
前記マーキングが、還元／酸化リサイクリングプロセスを起こす酵素である、請求項１５に記載の方法。
【請求項１８】
高分子量バイオポリマーを検出するためのバイオセンサであって、以下：
・高分子量バイオポリマーを固定するための、少なくとも１つのユニット、
・検出ユニットであって、該固定ユニット上に適用された捕捉分子に結合した高分子量バイオポリマーが、該検出ユニットによって検出されるような様式で構成されている、検出ユニット、
・サーモスタットにより調節されるユニットであって、該サーモスタットにより調節されるユニットは、該センサに一体化されており、そして該複合体の融点より高い温度に温度を上昇させることによって、捕捉分子と該検出ユニットによって検出される高分子量バイオポリマーとを含む複合体を分離するために設定されている、検出ユニット、
を有する、バイオセンサ。
【請求項１９】
前記少なくとも１つの固定ユニットが、作用電極の上方に配置されている、請求項１８に記載のバイオセンサ。
【請求項２０】
前記少なくとも１つの固定ユニットが、作用電極または検出ユニットに適用されている、請求項１８または１９に記載のバイオセンサ。
【請求項２１】
前記検出ユニットが、フォトダイオード、ＣＭＯＳカメラまたはＣＣＤカメラである、請求項２０に記載のバイオセンサ。
【請求項２２】
前記少なくとも１つの固定ユニットが、ＣＭＯＳチップ上に適用されている、請求項１８〜２１のいずれか１項に記載のバイオセンサ。
【請求項２３】
前記少なくとも１つの固定ユニットが、作用電極として構成されている、請求項１８に記載のバイオセンサ。
【請求項２４】
高分子量バイオポリマーを固定するための複数のユニットを、規則的な配置で有する、請求項１８〜２３のいずれか１項に記載のバイオセンサ。
【請求項２５】
サーモスタットにより調節されるユニットが、各検出ユニットの下方に配置されており、そして各場合において個々に、駆動および調節され得る、請求項１８〜２４のいずれか１項に記載のバイオセンサ。
【発明の詳細な説明】
【技術分野】
【０００１】
本発明は、高分子量バイオポリマーを固定するための少なくとも１つのユニットを用いて、高分子量バイオポリマーを検出するための方法および高分子量バイオポリマーを検出するためのバイオセンサに関連する。
【背景技術】
【０００２】
［１］〜［４］は、ＤＮＡ分子を検出する方法を開示し、ここで、電極配置に基づくバイオセンサは、検出のために使用される。
【０００３】
図２ａおよび図２ｂは、［１］および［４］に記載されるようなセンサを示す。センサ２００は、金製の２つの電極２０１、２０２を有し、これらの電極は、絶縁体材料製の絶縁体層２０３に埋めこまれる。電極接続部２０４、２０５は、電極２０１、２０２と接続され、そして電極２０１、２０２に存在する電気ポテンシャルが、前記電極接続部に供給され得る。電極２０１、２０２は、平面電極として配置され得る。ＤＮＡプローブ分子２０６は、各電極２０１、２０２上に固定される（図２ａ参照）。固定は、いわゆる金−硫黄結合に従って起こり得る。試験される分析物２０７は、電極２０１、２０２上に適用される。この場合、分析物は、例えば、異なるＤＮＡ配列の電解液であり得る。
【０００４】
分析物２０７が、ＤＮＡプローブ分子２０６の配列に対して相補的な配列を有する、ＤＮＡ鎖２０８を含有する場合、前記ＤＮＡ鎖２０８がＤＮＡプローブ分子２０６とハイブリダイズする（図２ｂ参照）。
【０００５】
ＤＮＡプローブ分子２０６およびＤＮＡ鎖２０８のハイブリダイゼーションは、それぞれのＤＮＡプローブ分子２０６の配列および対応するＤＮＡ鎖２０８の配列が、お互いに相補的である場合にのみ、起こる。この場合ではないとき、ハイブリダイゼーションは起こらない。従って、あらかじめ決定された配列のＤＮＡプローブ分子は、各場合において、特定のＤＮＡ鎖（すなわち、それぞれ相補的な配列を有するＤＮＡ鎖）とのみ結合し得る（すなわち、ハイブリダイズし得る）。
【０００６】
ハイブリダイゼーションが起こった場合、図２ｂから理解され得るように、他の電気パラメーターに加えて、電極間のキャパシタンスもまた変化する。キャパシタンスにおけるこの変化は、ＤＮＡ分子を検出するための測定量として使用され得る。
【０００７】
［５］は、あらかじめ決定された配列を有するＤＮＡ鎖の存在について、電解質を試験するための、さらなる手順を開示する。この手順において、所望の配列のＤＮＡ鎖は、蛍光色素で標識され、そしてこれらの存在は標識された分子の蛍光特性に基づいて検出される。この目的のために、可視波長範囲または紫外線波長範囲の光が、電解質に照射され、そして分析物により（特に、検出するために標識されたＤＮＡ鎖により）放射された蛍光が検出される。蛍光挙動（すなわち、特に検出される放射光線）は、検出するために対応してあらかじめ決定された配列を有するＤＮＡ鎖が、分析物に含まれるか否かを決定するための基礎として利用される。
【０００８】
ＤＮＡ鎖で対応するマーカー分子の蛍光挙動についての非常に正確な知識が必要であり、さらに、この方法を始める前にＤＮＡ鎖のマーキング反応が必要とされるので、この手順は、非常に複雑である。さらに、光線が正確に検出され得るために、放射光線を検出するための検出方法の正確な調節が必要である。
【０００９】
結果的に、この手順は、高価で、複雑かつ妨害影響に対し非常に感受性であり、その結果として、測定結果が非常に容易に損なわれ得る。
【００１０】
さらに、高分子量バイオポリマーを検出するための還元／酸化リサイクリング法が、［２］および［３］に開示される。
【００１１】
還元／酸化リサイクリング法（本明細書中以下、レドックスリサイクリングとも言われる）は、図４ａ〜図４ｃを参照にして、以下に、より詳細に説明される。
【００１２】
図４ａは、第１の電極４０１および第２の電極４０２を有するバイオセンサ４００を示す。ここで、これらの電極は、絶縁体層としての基板４０３上に適用される。
【００１３】
保持領域（保持層４０４として設定される）は、金製の第１の電極４０１上に適用される。この保持領域は、第１の電極４０１上に、ＤＮＡプローブ分子４０５を固定するために役立つ。
【００１４】
このような保持領域は、第２の電極上には提供されない。
【００１５】
バイオセンサ４００が、ＤＮＡプローブ分子４０５の配列に相補的な配列を有するＤＮＡ鎖を検出するために使用されることが意図される場合、センサ４００は、溶液４０６と接触されて、試験される溶液４０６に含まれる可能性のある相補的配列を有するＤＮＡ鎖が、ＤＮＡプローブ分子４０５の配列にハイブリダイズし得るような方法で試験される。
【００１６】
図４ｂは、検出されるＤＮＡ鎖４０７が、試験される溶液４０６に含まれ、そしてＤＮＡプローブ分子４０５にハイブリダイズしている場合を示す。
【００１７】
試験される溶液中のＤＮＡ鎖４０７は、酵素４０８によりマーキングされ、これにより、以下に記載される分子が、部分分子へと切断され得る。
【００１８】
提供されるＤＮＡプローブ分子４０５の数は、通常、試験される溶液４０６に含まれる、決定されるＤＮＡ鎖４０７の数よりもかなり多い。
【００１９】
一旦、試験される溶液４０６に含まれる可能性のある酵素４０８を有するＤＮＡ鎖４０７が、固定されたＤＮＡプローブ分子とハイブリダイズすると、バイオセンサ４００は、リンスされ、その結果、ハイブリダイズしていないＤＮＡ鎖が除去され、そして試験される溶液４０６のバイオセンサ４００は、清浄になる。
【００２０】
電気的に非荷電の物質は、リンスに使用されるリンス溶液またはさらなる段階において別々に供給されるさらなる溶液４１２に加えられ、この物質は、ハイブリダイズされたＤＮＡ鎖４０７における酵素により、負の第１の電荷を有する第１の部分分子と正の第２の電荷を有する第２の部分分子とに切断され得る分子を含む。
【００２１】
図４ｃに示されるように、負に荷電した部分分子は、正に荷電したアノードに結合される（図４ｃの矢印４１１によって示される）。
【００２２】
負に荷電した第１の部分分子４１０は、第１の電極４０１において酸化され、この電極は、アノードのように、正の電位を有し、そして酸化された部分分子４１３のように、負に荷電したカソード（すなわち、第２の電極４０２）に引き寄せられ、ここで、それらは、再び還元される。
【００２３】
次いで、還元された部分分子４１４は、第１の電極４０１（すなわち、アノード）に移動する。
【００２４】
電気循環電流は、この方法で生成され、この電流は、酵素４０８によってそれぞれ生成される電荷キャリアの数にほぼ比例する。
【００２５】
この方法で評価される電気的パラメータは、図５における概略図５００に示されるように、時間ｔの関数としての電流変化ｄＩ／ｄｔである。
【００２６】
最後に、例えば、［６］は、図６を参照してより詳細に説明されるように、一本鎖核酸分子および二本鎖核酸分子の導電性の差に基づき、それゆえに、電圧の電流の測定に依存する方法を開示する。
【００２７】
［６］に従う方法において、一本鎖核酸分子６０２は、電気伝導性センサ表面６０１上に捕捉分子として固定される。捕捉分子６０２は、マーキング６０３を保有し、これは、光誘起レドックスプロセスの間に電子を放射または取り込み得る。
【００２８】
適切な波長を有する光が、矢印６０６によって示されるように、センサ６００に照射される場合、レドックス活性マーキング６０３は、照射された光によって励起され、電子を連続的に遊離する。マーキングが、ＤＮＡ捕捉分子６０２および検出される核酸６０５を含む二本鎖ハイブリッド中に存在する場合、この二本鎖ハイブリッドは、マーキング６０３から伝導性表面６０１への矢印６０７によって示されるように、ある型の電子ポンプとして作用し、そして電子を伝導する。その結果、電流は、測定デバイス６０４によってその表面において測定され得る（図６ａ、ｂを参照のこと）。しかし、ハイブリダイゼーションが、影響を受けない場合、一本鎖捕捉分子６０２は、絶縁体をおおよそ構築し、その結果、電流は、表面６０１において流れない。
【００２９】
［６］からの図４に対応する図６ｃは、分子の詳細がより正確である図を示し、ここで、光合成細菌反応センターは、レドックス活性マーキングとして使用される。
【００３０】
高分子量バイオポリマー（例えば、核酸）を検出するための上記の方法は、一般的に、それらの検出感度が、比較的低く、特に、検出される分子が少量しか得られない場合に、検出感度が低いという不利な点を有する。
【００３１】
［１０］は、サンプル中の複数の分析物を決定するための方法および測定デバイスを開示する。
【００３２】
［１１］は、電極配置を用いて高分子量バイオポリマーを検出するための方法を開示する。
【００３３】
［１２］は、連続読出しまたは並行読出しを用いた、電量計による検出原理および／またはインピーダンス測定による検出原理に基づく電気センサアレイを開示する。
【００３４】
［１３］は、マイクロリットルからピコリットルの大きさでの操作、反応実施およびサンプル検出のための一体型機器を開示する。
【００３５】
［１４］は、分析物の検出における使用のための構造体および方法を開示する。
【００３６】
本発明は、感度を上昇させるための方法、そしてまた高分子量バイオポリマーの検出のための装置を提供する問題に基づく。
【００３７】
この問題は、独立した特許請求の範囲に従った特徴を有する方法、そしてまたバイオセンサによって解決される。
【発明の開示】
【課題を解決するための手段】
【００３８】
高分子量バイオポリマーを検出するための第１方法は、高分子量バイオポリマーを固定するために少なくとも１つのユニットを使用する。このユニットには、捕獲分子として作用する第１分子が提供される。この方法では、サンプルを、高分子量バイオポリマーを固定するための少なくとも１つのユニットと接触させる。この場合、このサンプルは、高分子量バイオポリマー（これは好ましくは、検出されるべきである）を含み得、そして高分子量バイオポリマーまたは第１分子はこの場合、検出可能な信号（例えば、光学信号）を生成するために用いられ得るマーキングを有する。サンプル中に含まれる高分子量バイオポリマーは、捕獲分子に結合され、それによって、捕獲分子および高分子量バイオポリマーを含む複合体を形成する。その後、このマーキングは、信号の発光（例えば、蛍光光）を励起するために用いられ、このマーキングによって発光された信号が検出され、そして捕獲分子および高分子量バイオポリマーを含む複合体が、例えば、熱変性によって（再度）分離される。この分離は、発光信号の強度を急激に変化させる。次いで、この高分子量バイオポリマーは、強度によって、好ましくは、信号強度の変化によって検出される。
【００３９】
高分子量バイオポリマーを検出するための第２の方法は、高分子量バイオポリマーを固定するための少なくとも１つのユニットを有する電極配置を使用する。この方法に関して、高分子量バイオポリマーを固定するための少なくとも１つのユニットには、捕獲分子として作用する第１分子が提供される。次いで、サンプルを、少なくとも１つの固定ユニットと接触させ、このユニットは、このサンプルについて、検出すべき高分子量バイオポリマーを含むことが可能である。この方法では、このサンプル中に含まれかつこの捕獲分子に相補的である、高分子量バイオポリマーは、この捕獲分子に結合される。捕獲分子および高分子量バイオポリマーを含む複合体は、このようにして形成される。複合体化期（すなわち、例えば、捕獲分子および高分子量バイオポリマーが核酸分子である場合、ハイブリダイゼーション期）の間の電気信号の変化が検出され、特に、複合体化期の最後での測定値は、出力値として保持される。さらに、この方法では、第１の電気測定が、（好ましくは少なくとも１つの固定ユニットを、調べられるべきサンプルと接触させた後に）実施される。捕獲分子および高分子量バイオポリマー（例えば、核酸を含む、二本鎖ハイブリッド分子）を含む複合体は、例えば、熱変性によって分離される。これは、電気測定値の自発的改変をもたらす。第２の電気測定は、その時点で、または分離から正確に開始して、実施される。この核酸分子は、（例えば、第１測定値と第２測定値との間の相違に基づく）電気測定の結果を用いて検出される。
【００４０】
はっきり言えば、本発明の方法は、高分子量バイオポリマー（例えば、二本鎖核酸分子）の分離（すなわち、核酸分子の変性または融解）が協同的な（「急激な」）プロセスであり、それゆえ、変性が、測定値または信号における急激な変化をもたらし、これらを用いて、高分子量バイオポリマー（例えば、核酸）を検出し得る、という洞察に基づく。
【００４１】
正確にこの急激な変化を検出することによって、本発明の方法は、（特に、検出されるべきバイオポリマーが少量しか存在しない場合）検出感度の向上という既知の方法を超える利点を有する。これは、正確に、定数項に見られるような小さな信号の場合、例えば、ハイブリダイゼーションプロセスの間のキャパシタンスの変化に基づく、［４］による方法において生じるような連続した遅い変化を測定するよりも、単一の急激な変化を測定する方がより正確であることに起因する。
【００４２】
本発明の方法の補助により検出され得る高分子量バイオポリマーは、結合パートナー（例えば、ここでは、高分子量バイオポリマーおよびそれに対応する捕捉分子）の間の相互作用が、急激に進行する、好ましくは協同的なプロセスの際に破壊される場合、少なくとも一つの結合パートナーと可逆的に複合体を形成する全てのポリマーである。このような高分子量バイオポリマーの例は、相補的な核酸分子と二本鎖複合体を形成し得る核酸、または分子（例えば、抗体もしくは抗体フラグメント、レセプター、ペプチド、アプタマ−、代替的骨格、ファージディスプレイライブラリー、ＲＮＡ／ＤＮＡ融合物）対応する結合パートナーとこのような複合体を形成し得る。
【００４３】
本発明は、検出されるべき高分子量バイオポリマーとして、核酸に主に基づいて、より詳細に以下に説明される。しかし、本発明は、核酸に制限されないが、むしろ電子的または光学的に評価され得る本発明の意味において、急激な（例えば、熱誘導性）相転移を示す任意の型の分子系に一般的に適用され得る。
【００４４】
変性（例えば、捕捉分子と検出されるべき核酸分子とを含むハイブリッド分子の分離）は、それぞれ相補的なヌクレオチド対の間の水素結合の協同的切断を導く全ての手段によって、本発明の方法において達成され得る。変性は、好ましくは、その温度を、二本鎖ハイブリッド分子の融点（Ｔｍ）の上に存在する温度まで増加することによってもたらされる。しかし、ｐＨ値を変えることによって（すなわち、特に、アルカリを加えることによって、および／または有機（非プロトン性）溶媒（すなわち、ＤＭＳＯまたはＤＭＦ）を添加することによって、またはイオン強度を増加することによって（好ましくは、塩濃度を増加することによって）、二本鎖核酸分子の融解を達成することもまた可能である。本発明の方法を実施するために使用される融点Ｔｍは、実験的に決定され得、そして／またはよく知られた方法（これに関し、例えば、［７］を参照のこと）によって推定され得る。
【００４５】
本発明の意図において、検出は、試験されるべき分析物中のバイオポリマー（例えば、核酸分子）の質的検出または量的検出の両方であると理解される。このことは、用語「検出」が、同様に分析物中の核酸分子のようなバイオポリマーの不在を確認することを同様に包含することを意味する。本発明の意図において、この分析物は、試験されるべきサンプルであり得、固定された捕捉分子に加えられる。一方、しかしながら、分析物はまた、捕捉分子を含有し得、次いでこの捕捉分子は、固定され、添加されたさらなる高分子量バイオポリマーの補助により検出される。
【００４６】
二本鎖ハイブリッド分子を形成するため、捕捉分子として作用する第１核酸分子は、好ましくは、一本鎖分子である。しかし、検出されるべき核酸分子のヌクレオチド配列に相補的である配列を有する一本鎖領域のみを有する捕捉分子として、一本鎖分子を使用することもまた可能である。さらなる可能性は、例えば、［８］に記載されるように、少なくとも一つの固定ユニットに垂直な流体運動を誘導することによって二本鎖ハイブリッドを形成することである。この場合において、捕捉分子はまた、最初に、完全に二本鎖として存在し得る。
【００４７】
本明細書中に記載される第１の方法の場合において、信号は、核酸分子または捕捉分子に位置するマーキングによって生じる。
【００４８】
この方法の実施形態において、このような信号は、電流または変化したインビーダンス、特にセンサ構造の領域においては、キャパシタンスまたは伝導率である。さらなる実施形態において、信号は、可視光またはＵＶ光である。
【００４９】
このことは、種々の型のマーキング（このマーキングは、レポーター基とも言われる）が、本方法において使用され得ることを明らかにする。
【００５０】
従って、マーキングは、核酸分子を検出するために使用され得る信号を、外部励起を通じて、直接的に生じ得る、（化学的）化合物または基であり得る。このようなマーキングの例は、蛍光色素（発蛍光団）または化学発光反応を開始し得る化合物である。このようなマーキングの別の群は、例えば、［６］に記載されるようなレドックス活性酵素であり、この酵素は、適切な波長を有する光が放射された後、二本鎖核酸分子を通じて電流を生じ、この電流が、測定され得る。
【００５１】
本発明の意図におけるこのようなレドックス活性マーキングは、結果的に［６］に規定されるような化学誘導性または光誘導性のレドックス活性ユニットを含み（１０項２段落〜１２項２段落の［６］に関する光誘導性レドックス活性ユニットの定義、または１２項第２段落、１３項、第１段落の化学誘導性レドックス活性ユニットを参照のこと）、このレドックス活性結合ユニットは、捕捉分子として役立つ核酸一本鎖分子に少なくとも一つの結合を介して結合（共有結合）されている。
【００５２】
結果的に、本明細書中で使用され得る光誘導性レドックス活性マーキングの例は、光合成細菌反応中心（ＲＣ）、シクロファン（Ｃｙｃｌｏｐｈａｎｅ）または［６］に従うその意味での少なくとも生体分子電子ドナー／電子アクセプター複合体である（［６］の１４頁第２段落、１５頁第１段落を参照のこと）。
【００５３】
従って、化学誘導性レドックス活性マーキングの例は、光合成駆動細菌のシトクロムｂｃ複合体、シトクロムｃ２複合体、または少なくとも化学誘導性生体分子電子ドナー／電子アクセプター複合体（例えば、適切なシクロファン）［［６］、３１頁第２段落を参照のこと）。
【００５４】
上記のレドックス活性マーキングは、本明細書中で同様に使用され得る還元／酸化リサイクル法において使用され得る酵素のようなマーキングとは区別されるべきであることが、ここで留意されるべきである。このレドックス活性マーキングは、好ましくは、捕捉分子がマーキングを保有する方法において使用されることが、さらに留意されるべきである。
【００５５】
一方、このマーキングは、核受動分子（Ｎｕｋｌｅｉｎｓａｅｕｒｅｍｏｌｅｋｕｅｌｅ）（すなわち、信号の生成を引き起こす物質）のような、バイオポリマーを検出するための信号を間接的にしか生成しない物質であり得る。このようなレポーター基は、例えば、後にそのバイオポリマーを検出するために使用される化学反応を触媒する酵素であり得る。そのような酵素の例は、アルカリホスファターゼ、グルタチオン−Ｓ−トランスフェラーゼ、スーパーオキシドジスムターゼ、西洋ワサビペルオキシダーゼ、α−ガラクトシダーゼおよびβ−ガラクトシダーゼである。これらの酵素は、着色端部産物を生成する適切な物質、または例えば、上記還元／酸化リサイクル法において使用され得る化合物を、切断可能である。高分子量バイオポリマーを検出するために使用され得る信号を間接的にのみ生成するマーキング群としては、さらに、結合タンパク質のリガンド、および酵素の基質が挙げられる。これらのマーキングは、本明細書中においては一般的に、酵素リガンドと呼ばれる。マーキングとして使用され得る酵素リガンドの例は、ビオチン、ストレプトアビジン、アビジン、ジゴキシゲニン、または上記酵素の基質である。
【００５６】
信号を間接的に生成するマーキングと、信号を直接生成する信号との間のこの差異は、化学発光信号の生成に関して詳細に示される。
【００５７】
化学発光放射の生成を内因的に（すなわち、この文脈では、直接的に）もたらし得るマーキングは、例えば、西洋ワサビペルオキシダーゼであり、これは、過酸化水素（Ｈ２Ｏ２）の存在下で、環状ジアシルヒドラジド（例えば、ルミノール）の酸化を触媒する。この化学反応の間、反応産物が励起状態で形成され、この反応産物は、発光を介して基底状態へと遷移する。この発光は、さらなる化学試薬によって（例えば、ペルオキシダーゼ−ルミノール系の場合は、４−ヨードフェノールによって）増幅され得る。さらなる例は、Ｐｈｏｔｉｎｕｓ  ｐｙｒａｌｉｓのルシフェラーゼであり、これは、ＡＴＰおよび酸素の存在下で、ルシフェリンが発光しながら酸化ルシフェリンへと転換するのを触媒する。別の例は、適切な１，２−ジオキセタンを使用するアルカリホスファターゼである（［９］を参照のこと）。このようなマーキングは、記載されたように、２つの結合パートナーのうちの１つ（捕捉分子またはバイオポリマー）に直接結合され得る。
【００５８】
しかし、一方、使用されるマーキングが、それ自体は化学発光反応を開始しないが、例えば酵素（例えば、西洋ワサビペルオキシダーゼ）にその一部が結合した結合パートナーと特異的結合親和性を有する、化合物であることもまた、可能である。そのようなマーキングは、例えば、ビオチンである。後者は、タンパク質であるストレプトアビジンと高い結合親和性を有する。ストレプトアビジンが、例えば、上記の西洋ワサビペルオキシダーゼに結合している場合、この試薬は、一方では、例えば、検出されるべきバイオポリマー中にマーキングとして組み込まれたビオチンに結合可能であり、他方では、化学反応を開始可能である。従って、上記に列挙した成分（例えば、ビオチン、アビジン、またはジゴキシゲニン）はまた、この場合、捕捉分子または検出されるべきバイオポリマーの、マーキング／マーキング成分として使用され得る。間接的に作用するこれらのマーキングの使用は、有利であり得る。なぜなら、例えて言うと、これらのマーキングは、信号増幅カスケードの開始時に位置しており、従って、この方法の検出感度をさらに増加し得る。
【００５９】
電極配置に基づいて作動する（従って、上記の種類のマーキングを必要としない）方法の場合は、１実施形態において、電極に存在する電位が、電気測定の間に測定される。他の実施形態において、キャパシタンス、電気抵抗、電流フロー、または２つの電極間のインピーダンス、またはこれらの測定量の対応する値の変化が、測定される。
【００６０】
上記のこれらの電気測定は、とりわけ、溶液における核酸が一般にポリアニオンである事実に基づき得る。従って、変性（一本鎖固定捕捉分子および検出されるべき核酸分子への分離）は、拡散によって指図される電荷分離を導く。はっきり言えば、これは、荷電したコンデンサを放出するプロセスにほぼ対応し、この荷電したコンデンサは適切なセンサユニットによって検出され得る。電極の配置に基づく方法の場合、検出されるべき核酸を前もってマーキングする必要がないことは、唯一の利点ではなく；むしろ集合的な（協同的な）電荷移動の結果として、例えば、同等に大きな電流または１つの電極を用いる電気容量における同等に大きな変化を検出するのが可能であることもまた、利点である。これは高い測定感度を可能にする。従って、この方法は、検出されるべき核酸分子の定量的決定について特に利点を有する。
【００６１】
ちょうど記載された電荷移動がまた、固定ユニットと媒体（試験されるべき）との間の界面で形成する電気化学的電位において変化を生じる。従って、第２の方法のさらなる実施形態において、この電気的界面の電位は、核酸の検出のために測定される。
【００６２】
変性が熱的にもたらされるような両方の方法の精密化において、温度測定および／または温度制御は、少なくとも１つの固定ユニットを有するバイオセンサと一体化した、サーモスタットにより調節されるユニットによって実施される。サーモスタットにより調節されるユニットは、外部の制御およびモニタリングユニットに連結され得る。しかし、これはまた、それ自身、加熱要素に加えて全てのモニタリングユニットおよび制御ユニットを有し得る。従って、最後に述べた場合において、完全な温度制御は、チップ上でもたらされる。
【００６３】
これは例えば、加熱抵抗器、温度センサおよび／または調節回路の一体化により実現され得る。
【００６４】
温度調節のための加熱要素は、バイオセンサの配置に熱的に良く接触するべきである。これは上で説明されたように、バイオチップ上での加熱抵抗器の一体化によって、またはチップの外に配置され、ハウジングの中に一体化されたいわゆるオフチップの加熱抵抗器によって実現され得る。この温度センサは、好ましくは温度が正確に、遅延のない様式で測定されるために、核酸分子に直接近接して取り付けられる。温度制御のための調節回路は、比例の、誘導のおよび／または一体化の制御装置として実体化され得る。
【００６５】
当然、外からの熱的結合により（例えば、バイオセンサについて、容器および／または保持デバイスに一体化される抵抗器により）、温度制御をすることもまた、可能である。その１例は、バイオセンサのハウジング中で一体化される抵抗器である。
【００６６】
本発明の意味において、「固定ユニット」は、捕捉分子として働く核酸分子が固定され得る、すなわち、捕捉分子が物理的相互作用または化学的相互作用によって結合し得る、表面を有するユニットであると理解される。この相互作用としては、疎水性相互作用またはイオン性（静電的）相互作用および共有結合が挙げられる。少なくとも１つの固定ユニットについて使用され得る適切な表面材料の例は、金もしくは銀のような金属、ポリエチレンもしくはポリプロピレンのようなプラスチックまたは二酸化ケイ素のような無機物質である。
【００６７】
捕捉分子の固定をもたらす物理的相互作用の１つの例は、表面での吸収である。この種の固定は、例えば固定手段がマイクロタイタープレートを作製するために使用されるプラスチック材料（例えば、ポリプロピレン）である場合、起こり得る。しかし、捕捉分子の固定ユニットへの共有結合は、捕捉分子の向きを制御することを可能にするので、これが好ましい。この共有結合は任意の適切なリンカー化学によりもたらされ得る。
【００６８】
これらの２つの方法の精密化において、少なくとも１つの固定ユニットが、作用電極に近接して配置される、すなわち、作用電極は、空間的に近接して配置され、その結果、これは、電気的力／電場を介して固定ユニット上で作用し得る。固定ユニットは、好ましくは、作用電極上に配置される。本発明の意味において、作用電極は、（例えば、この電極を介して流れる電流が測定されるという点で）本明細書に記載される検出方法の１つに積極的に関与する電極であると理解される。本発明の意味において、作用電極はまた、例えば、負の電位が適用され、二本鎖ハイブリッド分子が２つの負に荷電した一本鎖へと分離するのを促進する、電極である。
【００６９】
このような作用電極は、モニタリング電極とは区別されるべきである。モニタリング電極は、核酸の検出に積極的には関与しない電極である。例示すると、インピーダンス測定が、電極配置に基づく方法によって行われる場合、この目的に必要な２つの電極のうちの一方は、専らモニタリング電極として働き得る。これは、例えば、固定ユニットと試験されるべき媒体との間の界面における電位が、検出目的で使用される場合である。
【００７０】
本明細書中で開示される２つの方法のうちの最初の方法（これは、マーキングで作動する）において、上記感知における基準電極は、例えば、測定信号が、蛍光マーキングまたは化学発光マーキングによって光学的に検出される場合に、完全に省かれ得る。
【００７１】
まとめると、モニタリング電極が、絶対電位が、作用電極において印加または測定されるように意図される場合にのみ必要なことが、この境界部において述べられる。このモニタリング電極（その電位は、電流のない様式において測定される）は、ここで基準接地電位を供給する。純粋な電気化学的方法（例えば、レドックスリサイクリング）において、このような電極は、測定目的で絶対に必要である。対照的に、測定電極は、その電場が変性反応を促進するためにのみ使用される場合は、必要でない。この場合、電極電位の正確な理解が絶対的に必要なわけではない。この関連性において、複合体化または変性を促進するために使用されるこのような電極が、例えば、光学的に信号を検出するときにも使用され得ることに留意すべきである。
【００７２】
この方法のさらなる実施形態において、その少なくとも１つの固定ユニットは、作用電極に直接適用される。この方法のさらなる実施形態において、その少なくとも１つのユニットは、フォトダイオードに適用される。
【００７３】
別の実施形態において、その少なくとも１つの固定ユニットは、作用電極として構成される。
【００７４】
既に上記で言及されたように、本明細書中で記載される方法において、負の電位は、ハイブリッド分子を分離する目的で、作用電極に印加され得る。これは、さらに変性プロセスの集合性を強化し、従って、測定の正確性および／または測定の感度をさらに改善する。
【００７５】
２つの方法のさらなる実施形態において、正の電位は、捕捉分子が、試験される培地と接触される前または接触された後のいずれかのときに、１つ以上の作用電極に印加され得る。この正の電位は、負に荷電した核酸分子が、適切な電場によって、その少なくとも１つの固定ユニットに引きつけられるという点で、正常に拡散を引き起こすハイブリダイゼーションプロセスを加速し得る。当然のことながら、それぞれのセンサ構築に依存して、この目的で複数の電極を使用することもまた可能である。さらに、当然のことながら、作用電極または融解プロセスを加速させるために使用されるそれらの作用電極はまた、ハイブリダイゼーションプロセスを加速するために使用されることが可能である。
【００７６】
本明細書中に開示される方法の両方において、核酸を固定するための複数のユニットを使用することが可能であり、これらのユニットが、矩形配置においてアレイに構成されることが可能である。
【００７７】
核酸分子を検出するために本明細書中で記載されるバイオセンサは、核酸を固定するための少なくとも１つのユニット、検出ユニットを有し、そしてセンサに一体化されるサーモスタットにより調節されるユニットもまた有する。この検出ユニットは、固定ユニット上に適用された捕捉分子に結合した核酸分子が、検出ユニットによって検出されるような様式で構成される。
【００７８】
本発明の感知における検出ユニットは、核酸分子におけるマーキングによって放出される信号を検出および送達し得るユニット、または（二本鎖）核酸分子の存在または非存在によって影響を及ぼされる電気測定量を検出および送達し得るユニットである。このような検出ユニットの例は、フォトダイオード、電極対またはＭＯＳＦＥＴである。しかし、代わりとして、この検出ユニットはまた、外部に、例えば、本発明に従うセンサについての読み出し／作動デバイスにおける光学検出器（ＣＣＤカメラ）として具現化され得る。
【００７９】
用語「センサに一体化される」は、サーモスタットにより調節されるユニットが、実際のセンサの一部であることを意味することが、本明細書中で理解されるべきである。このことは、サーモスタットにより調節されるユニットが、外部レセプタクルまたは保持デバイス（例えば、バイオセンサのためのハウジング）中に収容されないことを意味する。
【００８０】
センサに一体化されたサーモスタットにより調節されるユニットは、二本鎖ハイブリッド分子の変性および／またはハイブリダイゼーションおよび／または結合挙動（分子の誘引、結合または反発（例えば、リンカー化学の温度制御））の制御のために働く。これはまた、例えば、従来の加熱素子（例えば、電気加熱抵抗器）ならびに温度をモニタリングするために必要な制御および測定ユニットを有し得る。さらに、サーモスタットにより調節されるユニットは、例えば、ポリメラーゼ連鎖反応（ＰＣＲ）を介して、合成および／または複製のために使用され得る。さらに、このサーモスタットにより調節されるユニットは、温度が、対流を制御し、従って、反応空間における拡散速度を制御するために使用され得るという点で、反応プロセスを加速するために使用され得る。
【００８１】
１つの実施形態において、このバイオセンサは、少なくとも１つの作動電極を有する。後者を、少なくとも１つの固定ユニットに隣接して配置し、その結果、このユニットが、前記作動電極の電位または電場によって影響される。上記のハイブリッド分子の形成または変性プロセスの加速は、このように実行され得る。この少なくとも１つの固定ユニットは、好ましくは、この作動電極上に配置される。
【００８２】
このバイオセンサの別の実施形態において、少なくとも１つの固定ユニットが、作動電極またはフォトダイオードに適用される。この固定ユニットは、例えば、ＣＭＯＳチップに適用され得る。光学的に評価され得るマーキングである場合は、少なくとも１つの固定ユニットがまた、ＣＭＯＳカメラまたはＣＣＤに適用され得る。
【００８３】
バイオセンサのさらなる実施形態において、少なくとも１つの固定ユニットが、作動電極として構成される。
【００８４】
さらなる実施形態において、この装置は、規則的な配置（アレイ）中の固定高分子量バイオポリマーについての複数のユニットを有する。
【００８５】
この結合において、核酸分子は、例えば、（長鎖）ＤＮＡ分子およびＲＮＡ分子、ＰＮＡ分子、ｃＤＮＡ分子、そうでなければより短いオリゴヌクレオチド（例えば、１０〜５０塩基対（ｂｐ）、特に１０〜３０塩基対）であると理解される。これらの核酸は、二本鎖であり得るが、少なくとも一本鎖領域もまた有し得るかもしくは例えば、これらの核酸の検出のために先行する熱変性（鎖分離）の結果として、一本鎖として存在し得る。この場合、検出されるべきこれらの核酸の配列は、少なくとも部分的にかまたは完全に、前もって決定され得る（すなわち既知である）。
【００８６】
前もって決定されるヌクレオチド配列の核酸分子が、ここで記載される方法によって検出される場合、それらは、好ましくは一本鎖形態（すなわち、適切な場合、検出の前に、変性によって一本鎖に変換される）で検出される。この場合、使用される捕捉分子は、一本鎖領域に相補的な配列を有する核酸分子である。これらの核酸分子捕捉分子は、次に、約２０ｂｐ〜約５０ｂｐを有する核酸分子であるか、そうでなければ、より長いヌクレオチド配列（この検出されるべき核酸への捕捉分子のハイブリダイゼーションを妨害するいかなる分子間構造も形成しない限り、約５００ｂｐまでかまたはそれ以上を有する）を有し得る。
【００８７】
本方法は、言うまでもなく、個々の測定系列における単純型の核酸分子を検出するだけではなく、むしろ、複数の核酸分子が同時にまたはそうでなければ連続的に検出され得ることを可能にする。この目的のために、複数の型の捕捉分子（これらの各々は、検出されるべき特定の核酸分子に対して、（特異的）結合親和性を有する）が、固定ユニットに結合され得、そして／または複数の固定ユニットが使用され得、捕捉分子の１つの型のみがこれらのユニットの各々に結合される。これらの多重決定の場合において、マーキングが検出目的に使用される場合、他のマーキングから区別され得るマーキングは、好ましくは、検出される各核酸分子について使用される。例として、２つ以上の発蛍光団がマーキングとして使用され得、これらの各々の発蛍光団は、好ましくは特定の励起波長および放射波長を有する。
【００８８】
ここで開示される方法において、各場合の第１の方法工程において、少なくとも１つの固定ユニットが、捕捉分子に提供される。
【００８９】
試験されるべきサンプル（好ましくは電解質のような液体培体）を、次いでこの固定ユニットと接触させる。これは、これらの核酸分子が捕捉分子に結合し得る様式で（すなわち、二本鎖ハイブリッド分子の融点より低い温度で）行われる。この培体が、検出されるべき複数の核酸を含む場合について、二本鎖ハイブリッド分子を形成するために、これらに対応する捕捉分子に同時にかまたは連続的の書く場合において、これらの複数の核酸が結合し得るように、ここで条件が選択される。
【００９０】
その後、検出されるべきハイブリッドを形成しない核酸分子は、適切な洗浄工程によって、反応スペースから除去され得る。
【００９１】
次いで、第１の方法において、これらの核酸を検出するために、対応するマーキングが信号を放射するように励起され、この信号が検出される。この目的のために、例えば、上記のレドックスリサイクリングによって引き起こされる励起蛍光放射または電流を測定する。
【００９２】
この方法の間ずっと、放射信号の連続的測定／検出を実行することがより好都合であるが、単一参照測定が実行され得る。この測定の初めに（さもなければそれより前または後で）、反応スペース（すなわち、少なくとも１つの固定ユニットの少なくとも表面）の温度を、二本鎖ハイブリッド分子の融点を超える温度まで上げる。変性はまた、例えば、ｐＨ値のパルス状の変更によって達成され得る。融点に到達する場合、変性の結果として信号強度が突然変化する。すなわち、検出すべき核酸分子が、ここで溶液中に再度遊離して存在し、そして観察される反応スペースからの拡散によって除去されるので、理想的にはゼロへの低下が起こる。固定ユニットの構造物表面からの一本鎖分子の除去が増強され得、そして対流の適用によって促進され得る。
【００９３】
この信号変化は、本発明の場合、検出目的のために使用される。
【００９４】
同じ方法工程が、原則として、本発明の第２の方法において実施される。
【００９５】
この第２の方法において、少なくともとも１つの固定ユニットを有する種々の電極配置を使用することが可能である。本明細書中で使用され得る電極配置の例は、［１］から分かるように、導電性の格子もしくはネットワーク、導電性多孔性材料、プレート電極配置、またはインターデジタル電極配置である。インターデジタル電極配置の場合、この配置の複数または全ての「フィンガー」に、固定ユニットが備えられ得るか、またはこれ自体が、このユニットとして構成される。
【００９６】
さらに、電極配置において電極を並列に接続する種々の配置が、提供され得る；例えば、これらの電極は、それぞれが互いの周りに同心円状に配置され、そして例えば、適切な誘電体によって互いに電気的に絶縁された円柱形要素として構成され得、その結果、電場が、これらの電極の間に発生する。
【００９７】
好ましい測定方法において、複数のハイブリダイゼーション／変性サイクルが、本発明に従うセンサを使用して実施される。結果として周期的に生じる自発的な信号変化は、複数のサイクルの測定結果が記録され、続いて統計学的に評価されるという点で、感度および測定精度をさらに増加させるために使用され得る；例えば、統計的平均値が作成され得る。
【００９８】
本発明の例示的な実施形態は、図に例示され、そして以下でより詳細に説明される。
【００９９】
図１は、本明細書中に記載される方法の第１の例示的な実施形態を実施するために使用され得るバイオセンサ１００を詳細に示す。
【０１００】
図１ａは、複数の電極１０１を有するバイオセンサ１００を示し、これらの電極はそれぞれ、電気的接続１０２を介して評価ユニット（例示せず）に接続されている。これらの電極は、絶縁材料から作製された絶縁体層１０３中に埋め込まれる。核酸を固定するためのユニット１０４は、絶縁体層の上かつ電極１０１の上に適用される。このバイオセンサ１００はさらに、温度制御のために役立つサーモスタットにより調節されるユニット１０５である、「センサ基板」中に埋め込まれる。
【０１０１】
センサ１００は、電極が二本鎖ハイブリッド分子の融解によって誘導される電場における変化に基づいて核酸分子を検出するためのみに役立つセンサの例である。
【０１０２】
センサ１００の固定ユニット１０４は、金から生成される。
【０１０３】
代替として、固定ユニット１０４はまた、酸化ケイ素から生成され得、そして捕捉分子を固定するために適切な材料でコーティングされ得る。
【０１０４】
例として、以下のような公知のアルコキシシラン誘導体を使用することが可能である：
・３−グリシドキシプロピルメチルオキシシラン、
・３−アセトキシプロピルトリメトキシシラン、
・３−アミノプロピルトリエトキシシラン、
・４−（ヒドロキシブチルアミド）プロピルトリエトキシシラン、
・３−Ｎ，Ｎ−ビス（２−ヒドロキシエチル）アミノプロピルトリエトキシシラン、
または他の関連のタイプの材料であって、これらは、その末端の１つと一緒になって、結合（例えば、共有結合）に侵入し得、酸化ケイ素の表面およびその他の末端と一緒になって、固定される核酸分子に反応のための化学的に反応性の基（例えば、エポキシ、アセトキシ、アミンまたはヒドロキシル基）を提供し得る。
【０１０５】
代替として、例えば、ポリ−Ｌ−リジンを使用することが可能である。
【０１０６】
固定される捕捉分子がこのような活性基と反応する場合、この捕捉分子は固定ユニット上のコーティング表面に、ある共有結合の型のリンカーのような選択した物質により結合する。
【０１０７】
ＤＮＡプローブ分子１０６および１０８が捕捉分子として固定ユニット１０４上に適用される。この場合、第１のＤＮＡプローブ分子１０６は、所定の第１のＤＮＡ配列に相補的な配列を有する。第２の捕捉分子１０８は、第２の所定のＤＮＡ配列に相補的なヌクレオチド配列を有する。この捕捉分子１０６および１０８は、いわゆる金−硫黄結合により固定される。
【０１０８】
それぞれプローブ分子の配列に相補的なＤＮＡ鎖の配列は、慣習的な様式で（すなわち、塩基がそれぞれＡとＴの間およびＣとＧの間の水素架橋結合により対合することによって）、プリン塩基（アデニン（Ａ）、グアニン（Ｇ））およびピリミジン塩基（チミン（Ｔ）、またはシトシン（Ｃ））にハイブリダイズし得る。他の核酸分子を使用する場合、他の塩基（例えば、ＲＮＡ分子の場合、ウリジン（Ｕ））が相当するものとして使用される。
【０１０９】
図１ａは、温度Ｔ１で固定ユニット１０４ならびにＤＮＡプローブ分子１０６および１０８に接触させる電解質１０９をさらに示す。この場合、温度Ｔ１は、検出される核酸分子を伴って捕捉分子１０６および１０８を含む二本鎖ハイブリッド分子の融点Ｔｍ未満である。試験条件下で与えられる融点Ｔｍは、適切な場合、実験的に決定されるかまたは前もって推定される。
【０１１０】
図１ａは、電解質１０９が、第１のＤＮＡプローブ分子１０６の配列に相補的である、所定の第１のヌクレオチド配列を有するＤＮＡ分子１０７を含む場合についてのバイオセンサ１００を示す。この場合、第１のＤＮＡプローブ分子１０６に相補的なＤＮＡ鎖１０７は、ユニット１０４上に適用された第１のＤＮＡプローブ分子１０６とハイブリダイズする。
【０１１１】
ＤＮＡ鎖の配列はそれぞれ特異的な相補配列のみにハイブリダイズするので、第１のＤＮＡプローブ分子に相補的なＤＮＡ鎖は、第２のＤＮＡプローブ分子１０８にハイブリダイズしない。
【０１１２】
ハイブリダイゼーション前かまたは代替的にはハイブリダイゼーション後に、第１の電気測定が電極１０２で実施される。この実施形態において、好ましくは電極に存在する電位が測定される。
【０１１３】
結果としてハイブリダイゼーションが行われた後に、二本鎖ハイブリッド分子がユニット１０４の一方の上に置かれる（すなわち、二本鎖ＤＮＡ分子が固定される）。他方のユニット１０４では、第２のＤＮＡプローブ分子１０８のみがなお一本鎖分子として存在する。
【０１１４】
必要に応じた洗浄工程の後、温度は、サーモスタットにより調節されるユニット１０５によって連続して上昇する。捕捉分子１０６および検出される分子１０７を含むハイブリッド分子の融点Ｔｍは、このプロセスにおいて達される。この時点で、二本鎖分子が変性される（すなわち２つの一本鎖１０６および１０７に分離される）。核酸のポリアニオン性特性のため、この解離は、急激な電荷の分離を生じ、これは、電極１０２で第２の電位測定によって検出される。ＤＮＡ分子１０７の存在または非存在は、２つの測定における電位について得られる値の比較によって決定される。決定された差異が（所定の）閾値を越える場合、ＤＮＡ分子１０７がサンプル中に存在すること、そして、適切である場合、どんな濃度かが推察される。差異が閾値の下である場合、このことから、ＤＮＡ分子１０７が存在しないことが推察される。閾値に従うこの分類はまた、本明細書中に開示される他の方法でも実施され得る。
【０１１５】
図３ａは、核酸分子の検出のためのＭＯＳＦＥＴを伴って提供されるバイオセンサ３００を示す。
【０１１６】
バイオセンサ３００は、基板材料３０１を有し、ここに、（例えば、ｎ−半導体またはｐ−半導体）層３０２および３０３がそれぞれ、供給源およびＭＯＳＦＥＴのドレインとして置かれる。さらに、このセンサは、チャネル領域として作用する層３０４を有する。ＭＯＳＦＥＴの酸化物層３０５は、チャネル領域３０４上に置かれる。金属ゲート３０６は酸化物層３０５上に適用される。上記のゲートは、金から作製され、核酸を固定するためのユニットとして作用する。さらに、このセンサは、温度制御のためにユニット３０７を有する。捕捉分子３０８は、例えば、金−硫黄結合によって、ゲート３０６上に固定される。供給源の電気的接続、ＭＯＳＦＥＴのドレインおよびゲートは、示されない。センサ３００は（必要に応じて）、ＭＯＳＦＥＴに近接するさらなる電極３０９および３１０を備える。電極３０９および３１０は、核酸分子を検出するために働かないが、むしろ、ハイブリダイゼーションおよび変性プロセスを促進するために電場を生じるために使用される。
【０１１７】
図１を参照して記載される核酸分子を検出するための方法は、バイオセンサ３００の補助を用いて実施され得る。この場合において、ゲート３０６は、固定ユニットとして作用するだけでなく、「活性」電極（すなわち、本発明の意味において作動電極）としても作用する。バイオセンサ３００の場合において、ハイブリッド形成のために固定された電荷は、ＭＯＳＦＥＴのチャネル電流を調節する電場を生成する。結果として、例えば、変性の結果として変化するチャネルを通る電流は、固定ユニット３０６上に位置する電荷の量の直接の指標を示す。従って、このチャネル電流の変化は、核酸分子を検出するために使用される。
【０１１８】
図３ｂは、本発明のさらなるバイオセンサ３２０を示し、これは、ここに記載されるさらなる方法を実施するために使用され得る。
【０１１９】
バイオセンサ３２０は、第１のフォトダイオード３２１および第２のフォトダイオード３２２を有し、これらは、絶縁体物質（例えば、シリコン）から作られる絶縁体層３２３に導入される。フォトダイオード３２１、３２２は、第１の電気的接続３２４および第２の電気的接続３２５によって、評価ユニット（図示せず）に連結される。
【０１２０】
さらに、バイオセンサ３２０は、酸化層３２６を有し、核酸を固定するためのユニット３２７および３２８は、その上に位置される。これらの固定ユニット３２７、３２８は、金から形成される。代替として、固定ユニット３０６はまた、酸化シリコンから生成され得、そして捕捉分子を固定するのに適切な、例えば、前述の材料でコートされ得る。
【０１２１】
さらに、バイオセンサ３２０は、ユニット３２７および３２８に隣接する電気的連結３３０を備える電極３２９を有する。電圧が、電極３２９に印加され得、ハイブリダイゼーションプロセスおよび／または変性プロセスが、それによって加速され得る。
【０１２２】
最終的に、サーモスタットにより調節されるユニット３３１が、センサ３２０に位置される。
【０１２３】
捕捉分子３３２は、固定ユニット３２７上に固定される。図３ｂは、検出されるべき核酸分子３３３が、捕捉分子３３２と二本鎖ハイブリッド分子を形成する状態のセンサを示す。核酸分子３３３は、蛍光放射線を放出し得るマーキングとして、発蛍光団３３４を保有する。矢印３３５によって示されるこの放射線は、フォトダイオード３２１によって検出され得る。
【０１２４】
ここで開示される方法のさらに例示的な実施形態として、図４に従って公知の電極配置を用いるレドックスリサイクリング法が言及される。この実施形態において、二本鎖ハイブリッド分子が形成された後（図４ｃを参照のこと）、分子４０９は、酵素４０８によって切断され、それによって、上記のレドックスリサイクリングプロセスが開始される。捕捉分子４０５および検出されるべき核酸４０７を含むハイブリッドの融点より上の温度の上昇の結果として、核酸分子４０７に結合される酵素４０８は、電極表面から除去され、このように、電流に寄与し得る新規の酸化還元対は、分子４０９から形成されない。インターデジタル電極構造の間の導電率のこの自発的変化は、例えば、核酸を検出するために使用される。
【０１２５】
さらに代替的な実施形態において、検出ユニットの一次元アレイまたは多次元アレイおよび複数のサーモスタットにより調節されるユニットを提供することが可能である。サーモスタットにより調節されるユニットは、検出ユニットの部分の少なくとも下にそれぞれ配置され、好ましくは、各検出ユニットの下に配置される。各サーモスタットにより調節されるユニットは、個々に駆動され、そして調節され得、その結果、各検出ユニットは、局所的に加熱され得る。
【０１２６】
図７は、絶縁体材料で作られた絶縁体層７０２中に配置される固定ユニット７０１を有するバイオセンサ７００を示す。
【０１２７】
固定ユニット７０１は、電気的連結７０３によって、電気検出回路７０４に連結され、この固定ユニットは、センサの検出ユニットの部分である。固定ユニット７０１は、金から作製される。
【０１２８】
バイオセンサ７００の電気検出回路７０４は、各固定ユニットに対する検出信号の増幅のための前置増幅器７０５、少なくとも１つの固定ユニットの個々の選択のための選択エレクトロニクス７０６、および各固定ユニットについて検出された信号の変換のためのデジタル／アナログ変換器７０７もまた有する。
【０１２９】
さらに、バイオセンサは、サーモスタットにより調節されるユニット７０８を有し、これは、例えば、電気的連結７０９によってユニット７０１の各々の温度を個々に駆動し、そして調節し得る。明瞭さのために、このような連結７０９は、１つのサーモスタットにより調節されるユニット７０８についてのみ示される。
【０１３０】
レドックス活性マーキング７１１を有する一本鎖ＤＮＡプローブ分子７１０は、固定ユニット７０１に加えられる。このようなマーキング７１１は、例えば、光合成細菌反応中心であり得、そして第５０頁第１４段落〜第５２頁第１段落の［６］に記載されるように、プローブ分子に連結され得る（図６ｃもまた参照のこと）。
【０１３１】
核酸を検出するために、バイオセンサ７００は、試験されるサンプル（例えば、電解質）と接触される（図示せず）。
【０１３２】
図７は、電解質が、ＤＮＡプローブ分子７１０の配列に相補的な所定のヌクレオチド配列を有するＤＮＡ鎖７１２を含む場合についてのバイオセンサ７００を示す。
【０１３３】
図７から分かるように、結果として、ハイブリダイゼーションが行われた後に、ハイブリダイズした分子がユニット７０１に位置する（すなわち、二本鎖ＤＮＡ分子がそこに固定される）。
【０１３４】
光源（例えば、レーザー）（図示されない）によって、マーキング７１１（例えば、細菌反応中心）を励起するために適切な波長を有する光（矢印７１３によって記号化される）は、その上を照射する。これは、反応中心の補因子内での光誘導電荷分離を生じ、そして分子間電子移動を生じる。
【０１３５】
適切な電位（選択エレクトロニクスによって決定される）が固定ユニット７０１に存在する場合、電子は、二本鎖ハイブリッド分子から、ユニット７０１に移動する（すなわち、電気検出回路７０４によって検出される電流が生じる）。
【０１３６】
次いで、選択されたユニット７０１における温度は、対応するサーモスタットにより調節されるユニット７０８によって、融点Ｔｍより上の温度に増加させられる。これは、変性および一本鎖への分離を生じ、従って、電流の妨害を生じる。なぜなら、一本鎖分子７１０は、ほとんど完全に絶縁体であるからである。電流におけるこの変化は、第２の好ましくは連続した測定に基づいて、検出ユニットの回路７０４によって検出される。ＤＮＡ分子７１２の存在は、２つの電気測定の比較によって決定される。
【０１３７】
本明細書中に記載されるバイオセンサ７００の使用は、非常に感受性であるだけでなく、１つ以上の固定ユニットの個々の（および空間的に分離した）検出を可能にし、さらに、測定配置全体の明確な単純化を与える。
【０１３８】
以下の刊行物は、本明細書において引用される：
［１］  Ｒ．Ｈｉｎｔｓｃｈｅら，Ｍｉｃｒｏｂｉｏｓｅｎｓｏｒｓ  Ｕｓｉｎｇ  Ｅｌｅｃｔｒｏｄｅｓ  Ｍａｄｅ  ｉｎ  Ｓｉ−Ｔｅｃｈｎｏｌｏｇｙ，Ｆｒｏｎｔｉｅｒｓ  ｉｎ  Ｂｉｏｓｅｎｓｏｒｉｃｓ，Ｆｕｎｄａｍｅｎｔａｌ  Ａｓｐｅｃｔｓ，Ｆ．Ｗ．Ｓｃｈｅｌｌｅｒら編，Ｄｉｒｋ  Ｈａｕｓｅｒ  Ｖｅｒｌａｇ，Ｂａｓｅｌ，２６７−２８３頁，１９９７
［２］  Ｒ．Ｈｉｎｔｓｃｈｅら，Ｍｉｃｒｏｅｌｅｃｔｒｏｄｅ  ａｒｒａｙｓ  ａｎｄ  ａｐｐｌｉｃａｔｉｏｎ  ｔｏ  ｂｉｏｓｅｎｓｉｎｇ  ｄｅｖｉｃｅｓ，Ｂｉｏｓｅｎｓｏｒｓ  ＆  Ｂｉｏｅｌｅｃｔｒｏｎｉｃｓ，第９巻，６９７−７０５頁，１９９４
［３］  Ｍ．Ｐａｅｓｃｈｋｅら，Ｖｏｌｔａｍｅｔｒｉｃ  Ｍｕｌｔｉｃｈａｎｎｅｌ  Ｍｅａｓｕｒｅｍｅｎｔｓ  Ｕｓｉｎｇ  Ｓｉｌｉｃｏｎ  Ｆａｂｒｉｃａｔｅｄ  Ｍｉｃｒｏｅｌｅｃｔｒｏｄｅ  Ａｒｒａｙｓ，Ｅｌｅｃｔｒｏａｎａｌｙｓｉｓ，第７巻，Ｎｏ．１，１−８頁，１９９６
［４］  Ｐ．ｖａｎ  Ｇｅｒｗｅｎ，Ｎａｎｏｓｃａｌｅｄ  Ｉｎｔｅｒｄｉｇｉｔａｔｅｄ  Ｅｌｅｃｔｒｏｄｅ  Ａｒｒａｙｓ  ｆｏｒ  Ｂｉｏｃｈｅｍｉｃａｌ  Ｓｅｎｓｏｒｓ，ＩＥＥＥ，Ｉｎｔｅｒｎａｔｉｏｎａｌ  Ｃｏｎｆｅｒｅｎｃｅ  ｏｎ  Ｓｏｌｉｄ−Ｓｔａｔｅ  Ｓｅｎｓｏｒｓ  ａｎｄ  Ａｃｔｕａｔｏｒｓ，Ｃｈｉｃａｇｏ，９０７−９１０頁，１９９７年６月１６−１９日
［５］  Ｎ．Ｌ．Ｔｈｏｍｐｓｏｎ，Ｂ．Ｃ．Ｌａｇｅｒｈｏｌｍ，Ｔｏｔａｌ  Ｉｎｔｅｒｎａｌ  Ｒｅｆｌｅｃｔｉｏｎ  Ｆｌｕｏｒｅｓｃｅｎｃｅ：Ａｐｐｌｉｃａｔｉｏｎｓ  ｉｎ  Ｃｅｌｌｕｌａｒ  Ｂｉｏｐｈｙｓｉｃｓ，Ｃｕｒｒｅｎｔ  Ｏｐｉｎｉｏｎ  ｉｎ  Ｂｉｏｔｅｃｈｎｏｌｏｇｙ，第８巻，５８−６４頁，１９９７
［６］  ＷＯ  ００／４２２１７  Ａ１
［７］  Ｊ．Ｇ．Ｗｅｔｍｕｒ，ＤＮＡ  Ｐｒｏｂｅｓ：Ａｐｐｌｉｃａｔｉｏｎｓ  ｏｆ  ｔｈｅ  Ｐｒｉｎｃｉｐｌｅｓ  ｏｆ  Ｎｕｃｌｅｉｃ  Ａｃｉｄ  Ｈｙｂｒｉｄｉｚａｔｉｏｎ，Ｃｒｉｔｉｃａｌ  Ｒｅｖｉｅｗｓ  ｉｎ  Ｂｉｏｃｈｅｍｉｓｔｒｙ  ａｎｄ  Ｍｏｌｅｃｕｌａｒ  Ｂｉｏｌｏｇｙ，２６（３／４）：２２７−２５９（１９９１）
［８］  Ｅ．Ｂｒａｕｎら，ＤＮＡ−ｔｅｍｐｌａｔｅｄ  ａｓｓｅｍｂｌｙ  ａｎｄ  ｅｌｅｃｔｒｏｄｅ  ａｔｔａｃｈｍｅｎｔ  ｏｆ  ａ  ｃｏｎｄｕｃｔｉｎｇ  ｓｉｌｖｅｒ  ｗｉｒｅ，Ｎａｔｕｒｅ，第３９１巻，７７５−７７８頁，１９９８
［９］  Ｒｏｃｈｅ  Ｍｏｌｅｃｕｌａｒ  Ｂｉｏｃｈｅｍｉｃａｌｓ，１９９９  Ｂｉｏｃｈｅｍｉｃａｌｓ  Ｃａｔａｌｏｇ，９９頁
［１０］  ＤＥ  １９９  ４０  ８１０  Ａ１
［１１］  ＷＯ  ０１／７５１５１  Ａ２
［１２］  ＤＥ  １９９  １６  ９２１  Ａ１
［１３］  ＷＯ  ９４／０５４１４  Ａ１
［１４］  ＵＳ  ５，６４８，２１３。
【図面の簡単な説明】
【０１３９】
【図１】図１ａおよび１ｂは、本発明に従うバイオセンサの実施形態、および本明細書中に開示される方法のうちの１つにおける異なる方法の状態にあるこのバイオセンサを示す。
【図２】図２ａおよび２ｂは、電解質中で検出されるＤＮＡ鎖の存在（図２ａ）またはその非存在（図２ｂ）を検出するために使用され得る２つの平面電極の図を示す。
【図３】図３ａおよび３ｂは、本発明に従うバイオセンサのさらなる実施形態を示し、このバイオセンサは、本明細書中に記載される方法のさらなる型の実行を行うために使用され得る。
【図４】図４ａ〜４ｃは、先行技術に従うバイオセンサの図を示し、これを基礎として、レドックスリサイクリングプロセスの場合の個々の状態が明らかにされる。
【図５】図５は、レドックスリサイクリングプロセスの場合の、先行技術に従う循環電流の機能的特徴を示す。
【図６ａ】図６ａは、［３］に開示される核酸を検出するための方法を示す。
【図６ｂ】図６ｂは、［３］に開示される核酸を検出するための方法を示す。
【図６ｃ】図６ｃは、［３］に開示される核酸を検出するための方法を示す。
【図７】図７は、バイオセンサを示し、これを基礎として、本発明の方法のさらなるタイプの実施が例示される。
【符号の説明】
【０１４０】
１００  バイオセンサ
１０１  電極
１０２  電気的接続
１０３  絶縁体層
１０４  固定ユニット
１０５  サーモスタットにより調節されるユニット
１０６  ＤＮＡプローブ分子
１０７  ＤＮＡ分子
１０８  ＤＮＡプローブ分子
１０９  電解質
２００  バイオセンサ
２０１  電極
２０２  電極
２０３  絶縁体層
２０４  電気的接続
２０５  電気的接続
２０６  ＤＮＡプローブ分子
２０７  分析物
２０８  ＤＮＡ鎖
３００  バイオセンサ
３０１  基板材料
３０２  半導体層
３０３  半導体層
３０４  チャネル領域
３０５  酸化物層
３０６  金属ゲート
３０７  温度制御のためのユニット
３０８  捕捉分子
３０９  電極
３１０  電極
３２０  バイオセンサ
３２１  フォトダイオード
３２２  フォトダイオード
３２３  絶縁体層
３２４  電気的接続
３２５  電気的接続
３２６  酸化物層
３２７  固定ユニット
３２８  固定ユニット
３２９  電極
３３０  電気的接続
３３１  サーモスタットにより調節されるユニット
３３２  捕捉分子
３３３  核酸分子
３３４  発蛍光団
３３５  矢印
４００  バイオセンサ
４０１  第１電極
４０２  第２電極
４０３  絶縁体層
４０４  第１電極の保持領域
４０５  ＤＮＡプローブ分子
４０６  試験される溶液
４０７  ＤＮＡ鎖
４０８  酵素
４０９  切断可能分子
４１０  負に荷電した第１の部分分子
４１１  矢印
４１２  さらなる溶液
４１３  酸化された第１の部分分子
４１４  還元された第１の部分分子
５００  ダイアグラム
５０１  Ｙ軸、電流
５０２  Ｘ軸、時間
５０３  電流
５０４  初期値
６００  バイオセンサ
６０１  伝導性センサ表面
６０２  捕捉分子
６０３  マーキング
６０４  測定デバイス
６０５  検出される核酸分子
６０６  矢印
６０７  矢印によって示される電流
７００  バイオセンサ
７０１  固定ユニット
７０２  絶縁体層
７０３  電気的接続
７０４  電気検出回路
７０５  前置増幅器
７０６  選択エレクトロニクス
７０７  アナログ／デジタル変換器
７０８  サーモスタットにより調節されるユニット
７０９  電気的接続
７１０  ＤＮＡプローブ分子
７１１  レドックス活性マーキング
７１２  ＤＮＡ鎖
７１３  矢印
【図１Ａ】
2005533482.tif 000003
【図１Ｂ】
2005533482.tif 000004
【図２Ａ】
2005533482.tif 000005
【図２Ｂ】
2005533482.tif 000006
【図３Ａ】
2005533482.tif 000007
【図３Ｂ】
2005533482.tif 000008
【図４Ａ】
2005533482.tif 000009
【図４Ｂ】
2005533482.tif 000010
【図４Ｃ】
2005533482.tif 000011
【図５】
2005533482.tif 000012
【図６Ａ】
2005533482.tif 000013
【図６Ｂ】
2005533482.tif 000014
【図６ｃ】
2005533482.tif 000015
【図７】
2005533482.tif 000016
【手続補正書】
【提出日】平成16年1月19日(2004.1.19)
【手続補正１】
【補正対象書類名】特許請求の範囲
【補正対象項目名】全文
【補正方法】変更
【補正の内容】
【特許請求の範囲】
【請求項１】
高分子量バイオポリマーを固定するための少なくとも１つのユニットを使用して、高分子量バイオポリマーを検出するための方法であって、ここで、該高分子量バイオポリマーを固定するための少なくとも１つのユニットは、捕捉分子として働く第１の分子を備え、
・サンプルが、該高分子量バイオポリマーを固定するための少なくとも１つのユニットと接触され、該サンプルは、該高分子量バイオポリマーを含有することが可能であり、そして該高分子量バイオポリマーまたは該第１の分子は、検出可能な信号を発生させるために使用され得るマーキングを有し、
・該サンプルに含有される高分子量バイオポリマーが、該捕捉分子に結合し、これによって、捕捉分子および高分子量バイオポリマーを含む複合体を形成し、
・該信号の発生が、該マーキングによって励起され、
・該マーキングによって発生される信号が検出され、
・捕捉分子および高分子量バイオポリマーを含む該複合体が、分離され、これによって、該発生される信号の強度を変化させ、
・該捕捉分子および該高分子量バイオポリマーを含む該複合体の分離が、該信号の強度の変化によって検出される、
方法。
【請求項２】
高分子量バイオポリマーを固定するための少なくとも１つのユニットを有する電極配置を使用して、高分子量バイオポリマーを検出するための方法であって、ここで、該高分子量バイオポリマーを固定するための少なくとも１つのユニットは、捕捉分子として働く第１の分子を備え、
・サンプルが、該少なくとも１つの固定ユニットと接触され、該サンプルは、該高分子量バイオポリマーを含有することが可能であり、
・該サンプル中に含まれる高分子量バイオポリマーが、該捕捉分子に結合され、これによって、捕捉分子と高分子量バイオポリマーとを含む複合体を形成し、
・第１の電気測定が実施され、
・捕捉分子と高分子量バイオポリマーとを含む該複合体が分離され、これによって、該電気測定の値を変化させ、
・該分離の後に、第２の電気測定が実施され、そして
・該捕捉分子および該高分子量バイオポリマーを含む該複合体の分離が、該電気測定の値の変化によって検出される、
方法。
【請求項３】
前記固定ユニットと前記媒体との間の界面における電極電位、キャパシタンス、電気抵抗、電流または電位が、前記電気測定の間に測定される、請求項２に記載の方法。
【請求項４】
核酸、タンパク質、または核酸とタンパク質とを含む複合体が、高分子量バイオポリマーとして検出される、請求項１または２に記載の方法。
【請求項５】
核酸分子が、高分子量バイオポリマーとして、および捕捉分子として使用され、その結果、二本鎖ハイブリッド分子が、複合体として形成される、請求項４に記載の方法。
【請求項６】
前記捕捉分子として働く第１の核酸分子が、一本鎖分子である、請求項５に記載の方法。
【請求項７】
前記捕捉分子と検出される核酸分子とを含むハイブリッド分子の分離が、前記二本鎖ハイブリッド分子の融点より高い温度に、温度を上昇させることによってなされる、請求項６に記載の方法。
【請求項８】
前記温度が、前記少なくとも１つの固定ユニットを有するバイオセンサに一体化されたサーモスタットにより調節されるユニットによって制御される、請求項７に記載の方法。
【請求項９】
前記少なくとも１つの固定ユニットが、少なくとも１つの作用電極に隣接して配置される、請求項１〜８のいずれか１項に記載の方法。
【請求項１０】
前記固定ユニットが、前記作用電極の上方に配置される、請求項９に記載の方法。
【請求項１１】
前記少なくとも１つの固定ユニットが、作用電極またはフォトダイオードに直接適用される、請求項１〜１０にずれか１項に記載の方法。
【請求項１２】
前記少なくとも１つの固定ユニットが、作用電極として構成される、請求項１〜１１のいずれか１項に記載の方法。
【請求項１３】
前記ハイブリッド分子を分離する目的で、負の電位が、作用電極に付与される、請求項９〜１２のいずれか１項に記載の方法。
【請求項１４】
前記捕捉分子と検出されるべき核酸分子とを含む、二本鎖ハイブリッド分子を形成する目的で、正の電位が、作用電極に付与される、請求項９〜１３のいずれか１項に記載の方法。
【請求項１５】
高分子量バイオポリマーを固定するための複数のユニットが、規則的な配置で配置されている、請求項１〜１４のいずれか１項に記載の方法。
【請求項１６】
前記マーキングが、蛍光色素、化学発光マーキング、酵素および酵素リガンドを含む群から選択される、請求項１または４〜１５のいずれか１項に記載の方法。
【請求項１７】
前記マーキングが、還元／酸化リサイクリングプロセスを起こす酵素である、請求項１５に記載の方法。
【請求項１８】
高分子量バイオポリマーを検出するためのバイオセンサであって、以下：
・高分子量バイオポリマーを固定するための、少なくとも１つのユニット、
・検出ユニットであって、該固定ユニット上に適用された捕捉分子に結合した高分子量バイオポリマーが、該検出ユニットによって検出されるような様式で構成されている、検出ユニット、
・サーモスタットにより調節されるユニットであって、該サーモスタットにより調節されるユニットは、該センサに一体化されており、そして該複合体の融点より高い温度に温度を上昇させることによって、捕捉分子と該検出ユニットによって検出される高分子量バイオポリマーとを含む複合体を分離するために設定されている、検出ユニット、
を有する、バイオセンサ。
【請求項１９】
前記少なくとも１つの固定ユニットが、作用電極の上方に配置されている、請求項１８に記載のバイオセンサ。
【請求項２０】
前記少なくとも１つの固定ユニットが、作用電極または検出ユニットに適用されている、請求項１８または１９に記載のバイオセンサ。
【請求項２１】
前記検出ユニットが、フォトダイオード、ＣＭＯＳカメラまたはＣＣＤカメラである、請求項２０に記載のバイオセンサ。
【請求項２２】
前記少なくとも１つの固定ユニットが、ＣＭＯＳチップ上に適用されている、請求項１８〜２１のいずれか１項に記載のバイオセンサ。
【請求項２３】
前記少なくとも１つの固定ユニットが、作用電極として構成されている、請求項１８に記載のバイオセンサ。
【請求項２４】
高分子量バイオポリマーを固定するための複数のユニットを、規則的な配置で有する、請求項１８〜２３のいずれか１項に記載のバイオセンサ。
【請求項２５】
サーモスタットにより調節されるユニットが、各検出ユニットの下方に配置されており、そして各場合において個々に、駆動および調節され得る、請求項１８〜２４のいずれか１項に記載のバイオセンサ。
【国際調査報告】
2005533482.tif 000017
2005533482.tif 000018
2005533482.tif 000019
2005533482.tif 000020